(57)【特許請求の範囲】
【請求項１】
絶縁材料から作製された絶縁部を少なくとも部分的に備える物品と、
コイル状アンテナを備えて前記物品の絶縁部に埋没されたUHF帯RFIDタグと、
前記物品に対して取り外し可能に取り付けられ、前記コイル状アンテナと磁界結合する結合部と前記結合部に接続された放射部とを備える補助アンテナと、
を有し、
前記補助アンテナを保持するシートを有し、
前記コイル状アンテナと前記補助アンテナの結合部とが磁界結合するように、前記シートが前記物品に取り外し可能に取り付けられ、
前記シートが、前記物品に引っ掛け可能なフック部またはフープ部を備えるRFIDタグ付き物品。
【請求項２】
前記補助アンテナの結合部がループ状導体であって、
前記シートが、前記コイル状アンテナのコイル軸方向に前記RFIDタグに対して対向するように前記物品に取り付けられ、その対向方向視で前記ループ状導体内に前記コイル状アンテナが位置する、請求項１に記載のRFIDタグ付き物品。
【請求項３】
前記補助アンテナが、互いに独立して且つ同一方向に延在する複数の線状導体から構成された結合部を有している、請求項１に記載のRFIDタグ付き物品。
【請求項４】
前記複数の線状導体において、隣接し合う線状導体の電気長が異なる、請求項３に記載のRFIDタグ付き物品。
【請求項５】
前記補助アンテナの結合部が、前記シートのフック部またはフープ部の開口に沿って設けられた導体から構成されている、請求項１に記載のRFIDタグ付き物品。
【請求項６】
絶縁材料から作製された絶縁部を少なくとも部分的に備える物品と、
コイル状アンテナを備えて前記物品の絶縁部に埋没されたUHF帯RFIDタグと、
前記物品に対して取り外し可能に取り付けられ、前記コイル状アンテナと磁界結合する結合部と前記結合部に接続された放射部とを備える補助アンテナと、
を有し、
前記補助アンテナを保持するシートを有し、
前記コイル状アンテナと前記補助アンテナの結合部とが磁界結合するように、前記シートが前記物品に取り外し可能に取り付けられ、
前記補助アンテナが、互いに独立して且つ同一方向に延在する複数の線状導体から構成された結合部を有し、
前記複数の線状導体において、隣接し合う線状導体の電気長が異なるRFIDタグ付き物品。
【請求項７】
前記シートが、前記物品に剥離可能に接着する接着層を備える、請求項６に記載のRFIDタグ付き物品。
【請求項８】
前記物品が眼鏡であって、
前記RFIDタグが、前記眼鏡のテンプルまたはノーズパッドに埋没されている、請求項１から７のいずれか一項に記載のRFIDタグ付き物品。
【請求項９】
前記物品が、靴のアウトソールである、請求項１から７のいずれか一項に記載のRFIDタグ付き物品。
【発明の詳細な説明】
【技術分野】
【０００１】
本発明は、RFID（Radio-Frequency IDentification）タグ付きの物品に関する。
【背景技術】
【０００２】
従来より、RFIDタグが取り付けられた物品が存在する。例えば、特許文献１には、真贋判定のために、RFIDタグが内蔵された眼鏡が開示されている。
【先行技術文献】
【特許文献】
【０００３】
【特許文献１】特開２００７―１１０１３号公報
【発明の概要】
【発明が解決しようとする課題】
【０００４】
しかしながら、特許文献１の眼鏡の場合、RFIDタグは、眼鏡の意匠性を損なわないように内蔵されるため、小型のものに限られる。そのため、そのRFIDタグの通信可能距離は短い。すなわち、例えば一台のリーダライタ装置で複数の眼鏡のRFIDタグを一括して読み取れるほどに、十分に長い通信可能距離ではない。【０００５】
そこで、本発明は、RFIDタグ付きの物品において、物品の意匠性を損なうことなく、十分に長いRFIDタグの通信可能距離を実現することを課題とする。
【課題を解決するための手段】
【０００６】
上記技術的課題を解決するために、本発明の一態様によれば、
絶縁材料から作製された絶縁部を少なくとも部分的に備える物品と、
コイル状アンテナを備えて前記物品の絶縁部に埋没されたUHF帯RFIDタグと、
前記物品に対して取り外し可能に取り付けられ、前記コイル状アンテナと磁界結合する結合部と前記結合部に接続された放射部とを備える補助アンテナと、
を有するRFIDタグ付き物品が提供される。
【発明の効果】
【０００７】
本発明によれば、RFIDタグ付きの物品において、物品の意匠性を損なうことなく、十分に長いRFIDタグの通信可能距離を実現することができる。
【図面の簡単な説明】
【０００８】
【図１】本発明の一実施の形態に係る物品である眼鏡の斜視図
【図２】眼鏡に埋没されたRFIDタグの上面図
【図３】RFIDタグの等価回路図
【図４】補助アンテナを保持するシールシートの斜視図
【図５】シールシートの分解斜視図
【図６】RFIDタグに対して対向配置された状態のシールシートを示す図
【図７】RFIDタグが埋没された眼鏡のノーズパッドを示す斜視図
【図８】ノーズパッドに補助アンテナが取り付けられた状態を示す図
【図９】さらに別の実施の形態に係る、補助アンテナを保持するシートの一例を示す図
【図１０】さらに別の実施の形態に係る、補助アンテナを保持するシートの別例を示す図
【図１１】異なる実施の形態に係る補助アンテナの一例を示す図
【図１２】異なる実施の形態に係る補助アンテナの別例を示す図
【図１３】さらに異なる実施の形態に係る補助アンテナを示す図
【図１４】さらに異なる別の実施の形態に係る補助アンテナを保持するシールシートを示す図
【図１５Ａ】RFIDタグに対してずれた状態で対向配置された、補助アンテナを保持するシールシートを示す図
【図１５Ｂ】RFIDタグに対してさらにずれた状態で対向配置された、補助アンテナを保持するシールシートを示す図
【図１６】本発明の別の実施の形態に係る物品である靴のアウトソールを示す図
【発明を実施するための形態】
【０００９】
本発明の一態様のRFIDタグ付き物品は、絶縁材料から作製された絶縁部を少なくとも部分的に備える物品と、コイル状アンテナを備えて前記物品の絶縁部に埋没されたUHF帯RFIDタグと、前記物品に対して取り外し可能に取り付けられ、前記コイル状アンテナと磁界結合する結合部と前記結合部に接続された放射部とを備える補助アンテナと、を有する。
【００１０】
この態様によれば、RFIDタグ付きの物品において、物品の意匠性を損なうことなく、十分に長いRFIDタグの通信可能距離を実現することができる。
【００１１】
例えば、RFIDタグ付き物品は、前記補助アンテナを保持するシートを有し、前記コイル状アンテナと前記補助アンテナの結合部とが磁界結合するように、前記シートが前記物品に取り外し可能に取り付けられてもよい。
【００１２】
例えば、前記シートが、前記物品に剥離可能に接着する接着層を備えてもよい。
【００１３】
例えば、前記シートが、前記物品に引っ掛け可能なフック部またはフープ部を備えてもよい。
【００１４】
前記補助アンテナの結合部がループ状導体であって、前記シートが、前記コイル状アンテナのコイル軸方向に前記RFIDタグに対して対向するように前記物品に取り付けられ、その対向方向視で前記ループ状導体内に前記コイル状アンテナが位置するようにしてもよい。これにより、補助アンテナの結合部とコイル状アンテナとがより強く磁界結合し、その結果としてRFIDタグの通信可能距離がより延長される。
【００１５】
前記補助アンテナが、互いに独立して且つ同一方向に延在する複数の線状導体から構成された結合部を有してもよい。これにより、RFIDタグに対してずれて補助アンテナが取り付けられても、RFIDタグは、そのコイル状アンテナが複数の線状導体のいずれかと磁界結合することができる。
【００１６】
好ましくは、前記複数の線状導体において、隣接し合う線状導体の電気長が異なる。これにより、隣接し合う線状導体の中間位置にRFIDタグが配置されてコイル状アンテナがこれらの線状導体と磁界結合しても、良好に通信を行うことができる。すなわち、磁界結合した一方の線状導体から放射される電波に対する他方の線状導体から放射される電波による影響が抑制される。
【００１７】
前記補助アンテナの結合部が、前記シートのフック部またはフープ部の開口に沿って設けられた導体から構成されてもよい。
【００１８】
前記補助アンテナの結合部が、前記物品に引っ掛け可能なループ状導体またはＣ字状導体から構成されてもよい。
【００１９】
前記物品が眼鏡であって、前記RFIDタグが、前記眼鏡のテンプルまたはノーズパッドに埋没されてもよい。
【００２０】
前記物品が、靴のアウトソールであってもよい。
【００２１】
以下、本発明の実施の形態について、図面を参照しながら説明する。
【００２２】
図１は、本発明の一実施の形態に係るRFID（Radio-Frequency IDentification）タグ付き物品である眼鏡を示している。
【００２３】
本実施の形態の眼鏡１０において、フレーム１０ａ、テンプル１０ｂ、およびノーズパッド１０ｃが絶縁材料、例えば樹脂材料から作製されている。
【００２４】
また、眼鏡１０は、RFIDタグ１２を備えている。本実施の形態の場合、RFIDタグ１２は、視認できないように、左側のテンプル１０ｂに埋没されている。
【００２５】
図２はRFIDタグ１２の上面図であり、図３はRFIDタグ１２の等価回路を示している。
【００２６】
図２に示すように、RFIDタグ１２は、磁界放射型アンテナを備えた超小型RFIDタグであって、基板１４と、基板１４上に搭載されたRFIC（Radio-Frequency Integrated Circuit）素子１６と、を備えたパッケージ構造をとっており、基板１４上には、スパイラルパターン状に形成されてRFIC素子１６に接続されているコイル状アンテナ１８を備える。本実施の形態の場合、RFIC素子１６を囲むように、コイル状アンテナ１８が設けられている。RFIDタグ１２はまた、図３に示すように、UHF帯の通信周波数で通信するために、キャパシタンスＣとインダクタンスＬとが並列に配置された並列共振回路を備える。本実施の形態の場合、UHF帯の通信周波数で通信するRFIDタグ１２の通信可能距離は、例えば数ｍｍから約１０ｍｍまでの範囲である。なお、基板が複数の絶縁層を積層してなる多層基板であって、ヘリカルパターン状に形成されたコイル状アンテナがその内部に設けられていてもよい。
【００２７】
RFIC素子１６にはメモリ（図示せず）が内蔵されており、そのメモリにはRFID素子１６に固有のID情報が記憶されている。リーダライタ装置（図示せず）によってメモリ内の情報を読み取り、その読み取った情報に基づいて眼鏡１０の真贋判定が行われる。
【００２８】
上述したように、RFIDタグ１２の通信可能距離は短い。そのため、複数の眼鏡１０それぞれのRFIDタグ１２を利用してその複数の眼鏡１０の在庫チェックなどの管理を行う場合、時間がかかる。
【００２９】
例えば、陳列ケースに収容された複数の眼鏡１０の在庫チェックを行う場合、複数の眼鏡１０それぞれのRFIDタグ１２を一括して読み取ることができないので、リーダライタ装置を移動させながら一つずつ読み取る必要がある。したがって、管理対象の眼鏡１０の数が多くなればなるほど、それらのRFIDタグ１２全ての読み取りに時間がかかり、結果として在庫チェック等の管理にかかる時間が長くなる。
【００３０】
その対処として、すなわちリーダライタ装置が複数のRFIDタグ１２を一括して読み取ることができるように、眼鏡１０は、RFIDタグ１２の通信可能距離を延長するための補助アンテナを備える。
【００３１】
本実施の形態の場合、図４および図５に示すように、補助アンテナ２０は、シールシート２２に保持されている。図１に示すように、このシールシート２２が眼鏡１０のテンプル１０ｂに剥離可能に貼り付けられることにより、眼鏡１０は、取り外し可能に補助アンテナ２０を備える。
【００３２】
図５に示すように、本実施の形態の場合、シールシート２２は、矩形状且つ三層構造であって、表面２４ａ上に補助アンテナ２０が導体パターンとして形成されたベースシート２４と、補助アンテナ２０を覆って保護するカバーシート２６と、ベースシート２４の裏面２４ｂに設けられた接着層２８とから構成される。このような三層構造により、補助アンテナ２０は、視認できない状態でシールシート２２に保持される。
【００３３】
カバーシート２６には、例えば、眼鏡１０のブランドマーク、商品名、価格、バーコードなどが印刷される。接着層２８を介して、シールシート２２は、テンプル１０ｂに埋没されたRFIDタグ１２に対して対向するように、眼鏡１０のテンプル１２ｂに剥離可能に貼り付けられる。
【００３４】
図４に示すように、補助アンテナ２０は、磁界放射型のループ状導体部（結合部）２０ａと、そのループ状導体部２０ａからシールシート２２の長手方向にそれぞれ延在する電界放射型のミアンダ状導体部（放射部）２０ｂとを備える。
【００３５】
図６は、シールシート２２が眼鏡１０のテンプル１０ｂに貼り付けられた状態、すなわち、RFIDタグ１２に対して対向配置された状態を示している。
【００３６】
具体的には、図６に示すように、シールシート２２は、コイル状アンテナ１８のコイル軸方向（図面直交方向）にRFIDタグ１２と対向するように眼鏡１０のテンプル１０ｂに貼り付けられる。好ましくは、その対向方向視で補助アンテナ２０のループ状導体部２０ａ内にRFIDタグ１２のコイル状アンテナ１８が位置するように、シールシート２２は、眼鏡１０のテンプル１０ｂに貼り付けられる。これにより、より強い磁界が発生するコイル状アンテナ１８の外周側部分に沿ってループ状導体部２０ａが配置される。このように補助アンテナ２０がコイル状アンテナ１８に近接することにより、補助アンテナ２０のループ状導体部２０ａが、RFIDタグ１２のコイル状アンテナ１８と磁界結合する結合部として機能する。
【００３７】
説明すると、補助アンテナ２０のミアンダ状導体部２０ｂが放射部として機能してリーダライタ装置からの電波を受信する。そのミアンダ状導体部２０ｂからループ状導体部２０ａに電流が流れ、ループ状導体部２０ａがその周りに磁界を発生させる。その磁界によってコイル状アンテナ１８に誘導電流の流れが生じ、その電流によってRFIDタグ１２のRFIC素子１６が駆動する。
【００３８】
RFID素子１６が駆動すると、情報に対応する信号（電流）がRFID素子１６からコイル状アンテナ１８に流れ、コイル状アンテナ１８がその周りに磁界を発生させる。その磁界によって補助アンテナ２０のループ状導体部２０ａに誘導電流の流れが生じ、その電流によってミアンダ状導体部２０ｂから電波が放射される。
【００３９】
このような補助アンテナ２０により、RFIDタグ１２は、単独での通信可能距離を超える距離で無線通信を行うことができる。本実施の形態の場合、補助アンテナ２０を用いることにより、RFIDタグ１２の通信可能距離が、例えば３０ｃｍ〜４０ｃｍに延長される。それにより、リーダライタ装置は、複数の眼鏡１０それぞれのRFIDタグ１２を一括して読み取ることができる。その結果、複数の眼鏡１０の在庫チェック等の管理を短時間で行うことができる。通信可能距離を大きくするためには、補助アンテナの電気長がλ／２（λ：通信信号の波長）相当であることが好ましい。
【００４０】
また、補助アンテナ２０（それを保持するシールシート２２）は眼鏡１０から取り外し可能（剥離可能）である。例えば、購入者に受け渡すときに補助アンテナ２０を眼鏡１０から取り外すことができる。また、RFIDタグ１２は眼鏡１０のテンプル１０ｂに埋没している。したがって、眼鏡１０の使用時において、補助アンテナ２０やRFIDタグ１２によって眼鏡１０の意匠性が損なわれることがない。
【００４１】
以上のような本実施の形態によれば、RFIDタグ１２付きの眼鏡１０において、眼鏡１０の意匠性を損なうことなく、十分に長いRFIDタグ１２の通信可能距離を実現することができる。
【００４２】
以上、上述の実施の形態を挙げて本発明を説明したが、本発明の実施の形態はこれに限らず、様々な形態が可能である。
【００４３】
例えば、別の実施の形態において、RFIDタグ１２は、眼鏡のテンプルではなく、ノーズパッドに設けられている。
【００４４】
図７は、RFIDタグが埋没された眼鏡のノーズパッドを示している。
【００４５】
図７に示すように、ノーズパッド５０は、樹脂材料などの絶縁材料から作製され、パッドアーム（クリングス）５２を介してフレーム５４に取り付けられている。そのノーズパッド５０に、RFIDタグ１２が埋没されている。なお、ノーズパッド５０が透明である場合、RFIDタグを隠す、例えばロゴシートもノーズパッド５０も埋設される。
【００４６】
この場合、図８に示すように、補助アンテナ６０を保持するシールシート６２が、ノーズパッド５０に貼り付けられる。具体的には、コイル状アンテナ１８のコイル軸方向視（図面直交方向視）で補助アンテナ６０の略ループ状のループ状導体部６０ａ内にRFIDタグ１２のコイル状アンテナ１８が位置するように、シールシート６２はノーズパッド５０に貼り付けられる。これにより、ループ状導体部６０ａが、RFIDタグ１２のコイル状アンテナ１８と磁界結合する結合部として機能する。なお、図８に示すように、シールシート６２は、その全体ではなく、一部分がノーズパッド５０に貼り付けられている。
【００４７】
なお、補助アンテナは、貼り付け以外の方法でも、物品に取り付け可能である。
【００４８】
例えば、さらに別の実施の形態において、補助アンテナは、シートに保持され、そのシートが物品の一部分、例えば眼鏡のパッドアーム５２に引っ掛け可能なフック部またはフープ部を備えている。
【００４９】
図９および図１０は、物品に引っ掛け可能な、補助アンテナを保持するシートが示されている。
【００５０】
図９に示す補助アンテナ７０を保持するシート７２は、切り欠き部７２ａを形成することによって作製された概ねＣ字状のフック部７２ｂを備える。このフック部７２ｂのフック開口７２ｃを図７に示すパッドアーム５２が通過するように、シート７２はパッドアーム５２に引っ掛けられる。
【００５１】
また、図９に示すように、補助アンテナ７０は、シート７２のフック部７２ｂのフック開口７２ｃに沿って設けられたＣ字状導体部７０ａと、Ｃ字状導体部７０ａの一端から延在するミアンダ状導体部７０ｂとを備える。シート７２がそのフック部７２ｂを介してパッドアーム５２に引っ掛けられると、コイル状アンテナ１８のコイル軸方向視で補助アンテナ７０のＣ字状導体部７０ａ内にRFIDタグ１２のコイル状アンテナ１８が配置される。それにより、Ｃ字状導体部７０ａが、コイル状アンテナ１８と磁界結合する結合部として機能する。
【００５２】
図１０に示す補助アンテナ８０を保持するシート８２は、貫通穴状のフープ部８２ａを備える。このフープ部８２ａに図７に示すパッドアーム５２が通過するように、シート８２はパッドアーム５２に引っ掛けられる。
【００５３】
また、図１０に示すように、補助アンテナ８０は、シート８２の貫通穴状のフープ部８２ａの開口に沿って設けられた略ループ状のループ状導体部８０ａと、ループ状導体部８０ａの両端それぞれから同一方向に延在するミアンダ状導体部８０ｂとを備える。シート８２がそのフープ部８２ａを介してパッドアーム５２に引っ掛けられると、コイル状アンテナ１８のコイル軸方向視で補助アンテナ８０のループ状導体部８０ａ内にRFIDタグ１２のコイル状アンテナ１８が配置される。それにより、ループ状導体部８０ａが、コイル状アンテナ１８と磁界結合する結合部として機能する。
【００５４】
なお、補助アンテナは、シートを介して物品に間接的に取り付けられるのではなく、直接的に物品に取り付けることも可能である。
【００５５】
異なる実施の形態において、補助アンテナは、物品、例えば眼鏡のパッドアーム５２に引っ掛け可能なフック部またはフープ部を備えている。
【００５６】
図１１および図１２は、物品に引っ掛け可能な補助アンテナを示している。
【００５７】
図１１に示すように、補助アンテナ９０は、例えば折れや曲げなどの変形に対する剛性が高いワイヤなどの金属線によって作製されている。また、補助アンテナ９０は、Ｃ字状導体部９０ａと、Ｃ字状導体部９０ａの一端から延在するミアンダ状導体部９０ｂとを備える。
【００５８】
補助アンテナ９０のＣ字状導体部９０ａは、物品に引っ掛け可能なフック部として機能する。また、例えば、図７に示すパッドアーム５２に引っ掛けられると、ノーズパッド５０に埋没されたRFIDタグ１２のコイル状アンテナ１８と磁界結合する。すなわち、コイル状アンテナ１８と磁界結合する補助アンテナ９０の結合部として機能するＣ字状導体部９０ａが、RFIDタグ１２近傍の物品部分に引っ掛かるフック部としても機能する。
【００５９】
図１１に示すように、補助アンテナ９０のミアンダ状導体部９０ｂは、シート９２内に配置されている。例えば、シート９２は、物品のブランドマーク、商品名、価格、バーコードなどが印刷されている。
【００６０】
図１２に示す補助アンテナ１００も、同様に、例えば折れや曲げなどの変形に対する剛性が高いワイヤなどの金属線によって作製されている。また、補助アンテナ１００は、略ループ状のループ状導体部１００ａと、ループ状導体部１００ａの両端それぞれから同一方向に延在するミアンダ状導体部１００ｂとを備える。
【００６１】
補助アンテナ１００のループ状導体部１００ａは、物品に引っ掛け可能なフープ部として機能する。また、例えば、図７に示すパッドアーム５２に引っ掛けられると、ノーズパッド５０に埋没されたRFIDタグ１２のコイル状アンテナ１８と磁界結合する。すなわち、コイル状アンテナ１８と磁界結合する補助アンテナ１００の結合部として機能するループ状導体部１００ａが、RFIDタグ１２近傍の物品部分に引っ掛かるフープ部としても機能する。
【００６２】
図１２に示すように、補助アンテナ１００の２つのミアンダ状導体部１００ｂは、シート１０２内に配置されている。例えば、シート１０２は、物品のブランドマーク、商品名、価格、バーコードなどが印刷されている。
【００６３】
さらに、これまで説明してきた実施の形態と異なり、補助アンテナは、無端状のアンテナ、すなわちループアンテナであってもよい。
【００６４】
図１３は、さらに異なる実施の形態に係る補助アンテナを示している。
【００６５】
図１３に示すように、補助アンテナ１１０は、RFIDタグ１２のコイル状アンテナ１８と磁界結合するとともに物品に引っ掛けられるフープ部として機能するＣ字状導体部１１０ａと、Ｃ字状導体部１１０ａの両端それぞれに接続する２つの端を有するＵ字状導体部１１０ｂとを備える。また、Ｕ字状導体部１１０ｂは、シート１１２内に配置されている。
【００６６】
なお、図１１〜図１３に示す補助アンテナ９０、１００、および１１０は、物品（例えば図７に示すパッドアーム５２）に引っ掛け可能であるため、すなわち直接的に物品に取り付け可能である。そのため、不要であれば、シート９２、１０２、および１１２を省略することも可能である。
【００６７】
さらにまた、これまで説明してきた実施の形態と異なり、補助アンテナは、複数本の導体から構成することも可能である。
【００６８】
図１４は、さらに異なる別の実施の形態に係る補助アンテナを示している。
【００６９】
図１４に示すように、補助アンテナ１２０は、シールシート１２２に保持され、互いに独立して且つ同一方向に延在する複数の直線状導体１２０Ａ、１２０Ｂ、および１２０Ｃから構成されている。図１４に示す実施の形態の場合、理由は後述するが、RFIDタグ１２のコイル状アンテナ１８の外径に比べて大きいピッチＰで、複数の直線状導体１２０Ａ、１２０Ｂ、および１２０Ｃが配置されている。また、理由は後述するが、隣接し合う直線状導体１２０Ａと１２０Ｂは電気長が異なるとともに、隣接し合う直線状導体１２０Ａと１２０Ｃは電気長が異なる。なお、図１４に示す実施の形態では、直線状導体１２０Ｂ、１２０Ｃは同一電気長である。また、ピッチＰの上限は、RFIDタグ１２のRFIC素子１６の発生電圧、すなわちコイル状アンテナ１８から発生する磁界強度によって決まる（直線状導体とコイル状アンテナ１８が離れすぎると、磁界強度が不足して磁界結合ができない）。
【００７０】
図１４に示す補助アンテナ１２０の利点は、RFIDタグ１２に対する補助アンテナ１２０（シールシート１２２）の厳密な位置合わせが不要になることである。すなわち、RFIDタグ１２に対する補助アンテナ１２０の位置合わせにバラツキが生じても、補助アンテナ１２０がRFIDタグ１２の通信可能距離を延長する役割を果たすことができる。
【００７１】
図１５Ａは、RFIDタグ１２に対してずれた状態で対向配置されたシールシート１２２を示している。
【００７２】
図１５Ａに示すように、RFIDタグ１２は、内側の直線状導体１２０Ａに対向し、またシールシート１２２の中央からずれている。すなわち、補助アンテナ１２０の直線状導体１２０Ｃ側にRFIDタグ１２が片寄っている。この場合、強い磁界が発生するコイル状アンテナ１８の外周側部分により近い直線状導体１２０Ｃの部分が結合部として機能し、直線状導体１２０Ｃが他の直線状導体１２０Ａ、１２０Ｂに比べて強く磁界結合する。そして、直線状導体１２０Ｃの両端部分が電波を放射する放射部として機能する。すなわち、RFIDタグ１２は、主に直線状導体１２０Ｃを介して、リーダライタ装置と無線通信を行う。
【００７３】
図１５Ｂは、RFIDタグ１２に対してさらにずれた状態で対向配置されたシールシート１２２を示している。
【００７４】
図１５Ｂに示すように、RFIDタグ１２は、シールシート１２２の中央からずれ、内側の直線状導体１２０Ａと外側の直線状導体１２０Ｃとの間のシールシート１２２の部分に対向している。この場合、コイル状アンテナ１８の外周側部分により近い内側の直線状導体１２０Ａの部分が結合部として機能し、内側の直線状導体１２０Ａが外側の直線状導体１２０Ｃに比べて強く磁界結合する。そして、直線状導体１２０Ａの両端部分が電波を放射する放射部として機能する。すなわち、RFIDタグ１２は、主に直線状導体１２０Ａを介して、リーダライタ装置と無線通信を行う。
【００７５】
なお、図１５Ｂに示すように隣接し合う直線状導体１２０Ａ、１２０Ｃの間にあって、且つコイル状アンテナ１８の外周側部分から直線状導体１２０Ａ、１２０Ｃそれぞれまでの距離が等しい場合、コイル状アンテナ１８が直線状導体１２０Ａ、１２０Ｃの両方に磁界結合しうる。この場合、直線状導体１２０Ａ、１２０Ｃそれぞれから発生する電波が互いに影響し合い、RFIDタグ１２の通信特性に悪影響を与える可能性がある。この対処として、隣接し合う直線状導体１２０Ａ、１２０Ｃは、その電気長が異なる。
【００７６】
また、補助アンテナにおける複数の線状導体は、３本に限らず、２本であってもよいし、４本以上であってもよい。さらに、補助アンテナにおける複数の線状導体は、直線に限らず、曲線、ミアンダ状などであってもよい。また、複数の線状導体は、互いに平行でなくてもよい。さらに、線状導体それぞれは、全体にわたって同一の太さでなくてもよく、例えば、端部を他の部分に比べて太くしてもよい。広義には、RFIDタグに対してシートが対向配置されたときに、そのRFIDタグのコイル状アンテナの外周側部分から磁界結合可能な距離に少なくとも１本の線状導体があればよい。すなわち、補助アンテナにおけるコイル状アンテナ１８と磁界結合する結合部は、複数の線状導体から構成されている。そして、放射部は、磁界結合した線状導体の一部から構成されている。
【００７７】
加えて、これまで説明してきた実施の形態に係る物品は、眼鏡であったが、本発明の実施の形態はこれに限らない。
【００７８】
例えば、図１６は、RFIDタグが埋没された靴のアウトソールを示している。
【００７９】
図１６に示すように、アウトソール２１０は、絶縁性のゴム材料から作製されている。そのアウトソールの中央に、RFIDタグ１２が埋没されている。また、そのRFIDタグ１２に対向するように、補助アンテナ２０を保持するシールシート２２が剥離可能に貼り付けられている。
【００８０】
上述の眼鏡１０と同様に、RFIDタグ１２を利用してアウトソール２１０（またはそれを備える靴）の真贋判定を行うことができる。また、補助アンテナ２０を介することにより、複数のアウトソール２１０（またはそれを備える靴）それぞれのRFIDタグ１２を、リーダライタ装置は一括して読み取ることができる。
【００８１】
すなわち、本発明に係る実施の形態の物品は、広義には、絶縁材料から作製された絶縁部を少なくとも部分的に備える物品と、コイル状アンテナを備えて前記物品の絶縁部に埋没されたUHF帯RFIDタグと、前記物品に対して取り外し可能に取り付けられ、前記コイル状アンテナと磁界結合する結合部と前記結合部に接続された放射部とを備える補助アンテナと、を有するRFIDタグ付き物品である。
【００８２】
以上、複数の実施の形態を挙げて本発明を説明したが、ある実施の形態に対して少なくとも１つの実施の形態を全体としてまたは部分的に組み合わせて本発明に係るさらなる実施の形態とすることが可能であることは、当業者にとって明らかである。
【産業上の利用可能性】
【００８３】
本発明は、RFIDタグを利用して真贋判定される物品に適用可能である。
【符号の説明】
【００８４】
１２      RFIDタグ
１８      コイル状アンテナ
２０      補助アンテナ
２０ａ    結合部
２０ｂ    放射部
【図１】
0006512384.tif 000002
【図２】
0006512384.tif 000003
【図３】
0006512384.tif 000004
【図４】
0006512384.tif 000005
【図５】
0006512384.tif 000006
【図６】
0006512384.tif 000007
【図７】
0006512384.tif 000008
【図８】
0006512384.tif 000009
【図９】
0006512384.tif 000010
【図１０】
0006512384.tif 000011
【図１１】
0006512384.tif 000012
【図１２】
0006512384.tif 000013
【図１３】
0006512384.tif 000014
【図１４】
0006512384.tif 000015
【図１５Ａ】
0006512384.tif 000016
【図１５Ｂ】
0006512384.tif 000017
【図１６】
0006512384.tif 000018